(57)【要約】【課題】薄物でも厚みがある収容物でも積載効率を損なうことなく収容することができると共に、収容される物品の損傷を防止する。【解決手段】２枚の略方形のシート部材１１，１２を重ね合せ、１辺に収納物５１を挿入する開口１８を形成可能とし、他の辺を封止状態とした収容体１０である。開口１８を形成する上辺１１ａ，１２ａに、折線１６，１７においてシート部材１１，１２と連続して形成され、折線１６，１７は相対する上辺１１ａ，１２ａで重複しないものとして形成されているフラップ部２０，３０を備える。フラップ部２０，３０には、折り曲げられることにより前記開口部の半分の領域を閉塞する蓋片部２１，３１、シート部材１１，１２間に配置される間隔保持片部２２，３２、シート部材１１，１２の裏面に当接する延設片部２３，３３を備える。【選択図】図６
2008094418.tif 000002
【特許請求の範囲】
【請求項１】
２枚の略方形のシート部材を重ね合せ、重ね合せされる４辺部のうち少なくとも１辺を対となる開放辺部として被梱包物の挿入開口部を形成可能とすると共に、その他の辺を封止状態とした収容体において、
前記対となる各開放辺部には、折線において前記シート部材に連続して形成され、前記折線は、相対する開放辺部で互いに重複しないように形成されているフラップ部を備え、
前記フラップ部は、前記開放辺部に隣接して形成され、折り曲げられることにより前記開口部の半分の領域を閉塞する蓋片部であって、対向する２つの蓋片部で前記開口の略全領域を閉塞する蓋片部を備えることを特徴とする収容体。
【請求項２】
前記、各フラップ部は、前記蓋片部に隣接して形成され、折り曲げられることにより前記開口から収容体の内部に挿入され２枚のシート間に配置されて、２枚のシートの間隔を保持する間隔保持片部を備えることを特徴とする請求項１記載の収容体。
【請求項３】
前記間隔保持片部は、対となる開口辺部に配置されるフラップ部のそれぞれに対となるよう設けられ、対となる２枚の間隔保持片部は収容体内部で重合されることを特徴とする請求項２記載の収容体。
【請求項４】
前記対となる２枚の間隔保持片部には切込部が形成され、２枚の間隔保持片部は収容体内部において係合されることを特徴とする請求項２又は３記載の収容体。
【請求項５】
前記フラップ部は、前記蓋片部に隣接して形成され、折り曲げられることにより、反対側シート部材の裏面側に沿って延設され、前記シート部材に接触する延設片部を備えることを特徴とする請求項１乃至４のいずれか記載の収容体。
【請求項６】
前記間隔保持片部は、前記蓋片部との境界から蓋片部と重ね合せるように折り曲げ可能であり、間隔保持片は蓋片部に重ねたとき、蓋片部の輪郭内に配置できる形状であることを特徴とする請求項２乃至５記載の収容体。
【請求項７】
前記延設片部と、前記蓋片部との境界には、ミシン目を含む切り離し補助加工が施されていることを特徴とする請求項５又は６記載の収容体。
【請求項８】
前記間隔保持片に設けられた切込部の先端形状には切り裂け防止加工が施されていることを特徴とする請求項４記載の収容体。
【請求項９】
前記間隔保持片部は、前記蓋片部に重ね合せたときに、前記シート部材に近接する輪郭が前記蓋片部より小さく形成され、前記シート部材と間に隙間を生じるように形成されていることを特徴とする請求項１乃至８のいずれか記載の収容体。
【請求項１０】
２枚の略方形のシート部材を重ね合せ、重ね合せされる４つの辺部のうち少なくとも１辺から被梱包物を挿入可能な開口部と、開口部を封止するフラップ部が形成される収容体において、
前記フラップ部は、折り曲げられることにより前記開放辺部を拡開することで形成される開口を塞ぐ蓋片部と、前記開口の高さを保持する間隔保持片部とを備えることを特徴とする収容体。
【請求項１１】
２枚の略方形のシート部材を重ね合せ、重ね合せされる４つの辺部のうち少なくとも１辺から被梱包物を挿入可能な開口部と、開口部を封止するフラップ部が形成される収容体において、
前記フラップ部は、折り曲げられることにより前記開放辺部を拡開することで形成される開口を塞ぐ蓋片部と、前記開放辺部を拡開することで形成される収容体の形状を保持する形状保持部とを備えることを特徴とする収容体。
【請求項１２】
前記収容体の表面には、収容体の取扱説明が表示されていることを特徴とする請求項１乃至１１のいずれか記載の収容体。
【発明の詳細な説明】
【技術分野】
【０００１】
本発明は、収容体に係り、特に２枚の略方形のシート部材を重ね合せ、重ね合せされる４つの辺部のうち少なくとも１辺に被梱包物を挿入可能な開口部が形成される収容体に関する。
【背景技術】
【０００２】
従来、物品例えばＯＡ機器を搬送するに当たっては、さまざまな物品を付属品として同包する。付属品としては、取扱説明書、プログラムインストール用のＣＤやメモリカード、オプショナルパーツなどがある。このような物品は、紙製の収容体に格納され、ＯＡ機器本体を収容する収納装置内にＯＡ機器本体の梱包装置内に同包される。収容体はコートボールや段ボール製で、一枚のブランクシートから一体的に打ち抜かれた収容体形成片を組み立てて作られるものが採用される。このような収容体として以下のものが提案されている。
【０００３】
特許文献１には、封筒の両端上下方向に折り込み線を形成し、梱包する物品の高さにあわせて両端を折り曲げて接着することで強度をもたせるものが記載されている。即ち、特許文献１には、封緘用閉じしろ及び接着しろが形成された段ボール紙を折り込み、且つ前記接着しろが接着されて形成される段ボール紙製封筒であり、その封筒の底部側には幅方向に沿った折り込み線を、両端側には上下方向に沿った折り込み線をそれぞれ形成させ、前記上下方向に沿った折り込み線は、両端側にそれぞれ複数形成させるものが記載されている。
【０００４】
特許文献２には、緩衝材を有する封筒が記載されている。即ち、特許文献２には、ベロを有する紙製封筒の内面に、波形の凸部間に１直線上になる罫線を等間隔に施し、且つ凸部を内向きに半折用罫線にて半折した波形の紙製緩衝シートを両端部分において凸部を押し潰し、封筒開口縁と接着させるものが開示されている。
【０００５】
特許文献３には、１枚の段ボールを折り畳むことで箱形状の梱包容器が構成されることが記載されている。即ち、特許文献３には、蓋の開き側端部の折曲げ片に切込みを設け、この切込みに箱本体側からロック用フラップを差込んで蓋をロックする梱包用段ボール箱において、前記ロック用フラップの指掛け部に切込み片を形成したものが開示されている。
【０００６】
特許文献４には、梱包箱の内側に補強枠を設けることで積重ねても圧壊しないようにする梱包箱の補強構造が記載されている。即ち、特許文献４には、鋼製の台座状に段ボール箱を配置し、その段ボール箱の底部に穿設した透孔を通して、段ボール箱の内側に配置した補強枠を台座に支承させる構造が開示されている。
【０００７】
特許文献５には、内容物が充填された収縮自在な容器を、箱型（三角形）の梱包箱により梱包する一方、内容物がなくなった状態の容器を、前記箱型の梱包箱を押し潰して平面状に変形した状態の梱包箱により回収する梱包箱が記載されている。即ち特許文献５には、内容物が充填された収縮自在な容器の外面を第１の壁部と第１の壁部に対向する第２の壁部とで押さえつけると共に摩擦力により容器を固定する包装箱が開示されている。
【０００８】
【特許文献１】実用新案登録第３０９４２３２号公報
【特許文献２】実用新案登録第３１１０３６１号公報
【特許文献３】特開平１１−２９２０５７号公報
【特許文献４】特開昭６０−２３１４３号公報
【特許文献５】特開２００５−１７８８１９号公報
【発明の開示】
【発明が解決しようとする課題】
【０００９】
ところで、上述したように、収容体に格納する物品はさまざまな大きさを有している。
即ち、取扱説明書やＣＤのように厚み寸法が小さいものや、メモリカードやオプショナルパーツの用にある程度厚み寸法を有するものがある。このような物品を収容するに際して上述した特許文献１〜４の収容体では、１つの形態のみに対応するものしか対応していないため、さまざまな厚さ寸法に対応する収容体が必要となる。現実には、厚さ寸法が小さい物品を収容するためには封筒を使用し、厚さ寸法が有するものを収容するためには箱型の収容体を使用するのが実情である。
【００１０】
ここで、封筒は薄いため、積載効率を高めることができる反面、剛性がないことから、折れやすい物品を梱包することについては好ましくない。一方箱型の収容体の場合、６面が閉塞しているため剛性を保つことができ、梱包されている物品が折れるようなことはない。しかし、上述したように収容する物品の厚さ、体積、強度、形状は種々多様なものが存在していることから、それぞれ専用の梱包容器を製作するにはコストが嵩んでしまう。
【００１１】
形状が変形する物品に対しても対応できる梱包装置として特許文献５のような梱包箱が提案されているが、特許文献５のものは、収納する物品は同一であり、その物品の形状が変化するものに対応するものであり、梱包装置そのものの剛性を有する機構を有さないので、梱包装置の形状を保ちつつ物品の運搬をすることには不向きである。
【００１２】
そこで、本発明は、薄物でも厚みがある収容物でも積載効率を損なうことなく収容することができると共に、収容される物品の損傷を防止する収容体を提供することを目的とする。
【課題を解決するための手段】
【００１３】
請求項１の発明は、２枚の略方形のシート部材を重ね合せ、重ね合せされる４辺部のうち少なくとも１辺を対となる開放辺部として被梱包物の挿入開口部を形成可能とすると共に、その他の辺を封止状態とした収容体において、前記対となる各開放辺部には、折線において前記シート部材に連続して形成され、前記折線は、相対する開放辺部で互いに重複しないように形成されているフラップ部を備え、前記フラップ部は、前記開放辺部に隣接して形成され、折り曲げられることにより前記開口部の半分の領域を閉塞する蓋片部であって、対向する２つの蓋片部で前記開口の略全領域を閉塞する蓋片部を備えることを特徴とする収容体である。
【００１４】
請求項２の発明は、請求項１記載の収容体において、前記、各フラップ部は、前記蓋片部に隣接して形成され、折り曲げられることにより前記開口から収容体の内部に挿入され２枚のシート間に配置されて、２枚のシートの間隔を保持する間隔保持片部を備えることを特徴とする。
【００１５】
請求項３の発明は、請求項２記載の収容体において、前記間隔保持片部は、対となる開口辺部に配置されるフラップ部のそれぞれに対となるよう設けられ、対となる２枚の間隔保持片部は収容体内部で重合されることを特徴とする。
【００１６】
請求項４の発明は、請求項２又は３記載の収容体において、前記対となる２枚の間隔保持片部には切込部が形成され、２枚の間隔保持片部は収容体内部において係合されることを特徴とする。
【００１７】
請求項５の発明は、請求項１乃至４のいずれか記載の収容体において、前記フラップ部は、前記蓋片部に隣接して形成され、折り曲げられることにより、反対側シート部材の裏面側に沿って延設され、前記シート部材に接触する延設片部を備えることを特徴とする。
【００１８】
請求項６の発明は、請求項２乃至５記載の収容体において、前記間隔保持片部は、前記蓋片部との境界から蓋片部と重ね合せるように折り曲げ可能であり、間隔保持片は蓋片部に重ねたとき、蓋片部の輪郭内に配置できる形状であることを特徴とする。
【００１９】
請求項７の発明は、請求項５又は６記載の収容体において、前記延設片部と、前記蓋片部との境界には、ミシン目を含む切り離し補助加工が施されていることを特徴とする。
【００２０】
請求項８の発明は、請求項４記載の収容体において、前記間隔保持片に設けられた切込部の先端形状には切り裂け防止加工が施されていることを特徴とする。
【００２１】
請求項９の発明は、請求項１乃至８いずれか記載の収容体において、前記間隔保持片部は、前記蓋片部に重ね合せたときに、前記シート部材に近接する輪郭が前記蓋片部より小さく形成され、前記シート部材と間に隙間を生じるように形成されていることを特徴とする。
【００２２】
請求項１０の発明は、２枚の略方形のシート部材を重ね合せ、重ね合せされる４つの辺部のうち少なくとも１辺から被梱包物を挿入可能な開口部と、開口部を封止するフラップ部が形成される収容体において、前記フラップ部は、折り曲げられることにより前記開放辺部を拡開することで形成される開口を塞ぐ蓋片部と、前記開口の高さを保持する間隔保持片部とを備えることを特徴とする収容体である。
【００２３】
請求項１１の発明は、２枚の略方形のシート部材を重ね合せ、重ね合せされる４つの辺部のうち少なくとも１辺から被梱包物を挿入可能な開口部と、開口部を封止するフラップ部が形成される収容体において、前記フラップ部は、折り曲げられることにより前記開放辺部を拡開することで形成される開口を塞ぐ蓋片部と、前記開放辺部を拡開することで形成される収容体の形状を保持する形状保持部とを備えることを特徴とする収容体である。
【００２４】
請求項１２の発明は、請求項１乃至１１のいずれか記載の収容体において、前記収容体の表面には、収容体の取扱説明が表示されていることを特徴とする。
【発明の効果】
【００２５】
本発明に係る収容体は、フラップ部を折り曲げることで封筒のように使用したり、フラップ部の蓋片部を折り曲げるとともに間隔保持部材又は延設片部をシート部材の間に介在させることで剛性を有した空間を形成するように使用したりすることができるので、薄物でも厚みがある収容物でも積載効率を損なうことなく収容することができると共に、収容される物品の損傷を防止するという効果がある。
【発明を実施するための最良の形態】
【００２６】
以下本発明を実施するための最良の形態としての実施例を図面に基づいて説明する。
【実施例】
【００２７】
以下本発明に係る収容体の実施例を図１乃至図１４に基づいて説明する。図１は実施例に係る収容体の展開図である。
【００２８】
本例に係る収容体１０は、コートボール紙からなるブランクシートから一体的に打ち抜かれて形成された形成体６０を折り曲げ加工、接着加工して組み立てられる。形成体６０は、図１に示すように、接続部１３で連結している２枚のシート部材１１，１２を備えている。また、形成体６０において、シート部材１１及び１２における接続部１３と直交する開放辺部である上辺１１ａ，１２ａには折線１６，１７を挟んでフラップ部２０，３０がそれぞれ形成されている。シート部材１１及びフラップ部２０と、シート部材１２及びフラップ部３０とは、その形状が略等しく形成され、接続部１３を境にして左右に並べるように配置されている。また、シート部材１２の２辺にはシート部材１２との接着用の糊代１４，１５が形成されている。
【００２９】
フラップ部２０は、シート部材１１の前記折線１６を挟んで形成される蓋片部２１と、この蓋片部２１に折線２５を挟んで形成される間隔保持片部２２と、前記蓋片部２１に折線２４を介して形成される延設片部２３とを備える。また、フラップ部３０は、シート部材１２に前記折線１７を挟んで形成される蓋片部３１と、この蓋片部３１に折線３５を挟んで形成される間隔保持片部３２と、前記蓋片部３１に折線３４を介して形成される延設片部２３とを備える。
【００３０】
フラップ部２０において、蓋片部２１は、シート部材１１の上辺１１ａの延長線上にある折線１６と折線２４とを等辺とし、折線２５を底辺とする略二等辺三角形状をなす。そして、折線１６の長さｌは、シート部材１１の幅寸法をＬの１／２よりわずか、例えばコートボールの厚み分だけ、小さいものとしている。また、フラップ部３０において、蓋片部３１は折線１７と折線３４とを等辺とし、折線３５を底辺とする略二等辺三角形状をなす。ここで、折線１７の長さｌの寸法は、シート部材１２の幅寸法をＬの１／２よりわずか（同上）に小さい寸法としている。
【００３１】
蓋片部２１と、蓋片部３１とは、形成体６０を組み立てて形成される収容体１０の開口のそれぞれ略半分の領域を塞ぎ、２つの蓋片部２１，蓋片部３１で前記開口１８の略全領域を塞ぐことができる。
【００３２】
フラップ部２０において、間隔保持片部２２は、前記折線２５、上辺２２ａ、下辺２２ｂを備える四角形をなしている。ここで、上辺２２ａは、前記上辺１１ａと平行に形成され、また、下辺２２ｂはシート部材１１の上辺１１ａと隙間ｓだけ離れて折線２５に接合するように形成されている。即ち、間隔保持片部２２を前記蓋片部２１との境界である折線２５から蓋片部２１と重ね合せるように折り曲げて重ねたとき、間隔保持片部２２は、蓋片部の輪郭内に配置されると共に、間隔保持片部２２の下辺２２ｂと、折線１６との間に隙間を生じるように形成されている。
【００３３】
また、蓋片部２１には、その外側の上辺２２ａの略中央位置から間隔保持片部２２の幅寸法中央付近まで、間隔保持片部３２との係合用の切込部２６が形成されている。この切込部２６の切込み幅は、形成体６０を形成するコートボールの厚さを考慮して決定される。また、切込部２６の先端には、応力集中による切り裂けを防止するため切込部２６と連続する円孔部２７が開設されている。
【００３４】
フラップ部３０において、間隔保持片部３２は、前記折線３５、上辺３２ａ、下辺３２ｂを備える四角形をなしている。ここで、上辺３２ａは、前記上辺１２ａと平行に形成され、また、下辺３２ｂはシート部材１２の上辺１２ａと隙間ｓだけ離れて折線２５に接合するように形成されている。即ち、間隔保持片部３２を前記蓋片部３１との境界である折線３５から蓋片部３１と重ね合せるように折り曲げて重ねたとき、間隔保持片部３２は、蓋片部の輪郭内に配置されると共に、間隔保持片部３２の下辺３２ｂと、折線１７との間に隙間を生じるように形成されている。
【００３５】
また、蓋片部３１には、その外側の上辺３２ａの略中央位置から間隔保持片部３２の幅寸法中央付近まで、間隔保持片部２２との係合用の切込部３６が形成されている。この切込部３６の切込み幅は、形成体６０を形成するコートボールの厚さを考慮して決定される。また、切込部３６の先端には、応力集中による切り裂けを防止するため切込部３６と連続する円孔部３７が開設されている。
【００３６】
間隔保持片部２２，３２は、折線２５，３５で折り曲げられることにより開口から収容体１０の内部に挿入され２枚のシート部材１１，１２間に配置されて、切込部２６，３６で係合され、２枚のシート部材１１，１２の間隔寸法を保持する。
【００３７】
フラップ部２０において、延設片部２３は、折線２４と、上辺２３ａと、側辺２３ｂを備える三角形状をなしており、上辺２３ａは、前記延設片部２３の上辺２３ａと一直線をなし、前記シート部材１１の上辺１１ａ及び折線１６と平行に形成されている。また、側辺２３ｂは、折線１６に対して内側に傾斜するよう形成される。
【００３８】
同様に、フラップ部３０において、延設片部３３は、折線３４と、上辺３３ａと、側辺３３ｂを備える三角形状をなしており、上辺３３ａは、前記延設片部３３の上辺３３ａと一直線をなし、前記シート部材１２の上辺１２ａ及び折線１７と平行に形成されている。また、側辺２３ｂは、折線１６に対して内側に傾斜するよう形成される。
【００３９】
これらの延設片部２３，３３は、組み立てられたとき、相対するシート部材１１，１２の内面側に当接され、収容体１０の形状を保持する。
【００４０】
形成体６０においてフラップ部２０，３０はシート部材１１，１２の近傍から突出することなく形成できブランクからの成形効率を良好なものとできる。
【００４１】
次に形成体６０の組み立て状態について説明する。図２は実施例に係る収容体の平面図、図３は実施例に係る収容体の斜視図である。形成体６０を組み立てると、図２及び図３に示すように、収容体１０を形成することができる。この状態で、シート部材１１，１２の３辺（図２中左右辺及び上辺に相当）は閉塞された状態に形成され、他の１辺（図中上辺に相当）は開放辺部として形成される。このような収容体１０では、シート部材１１，１２を撓ませることにより、収容物を出し入れする開口１８を開設することができ、この開口１８は、前記蓋片部２１，３１で塞ぐことができる。
【００４２】
また、収容体１０を組み立てて、内部に収納物を入れない状態では、図２に示すように、シート部材１１、シート部材１２に形成されるフラップ部２０及びフラップ部３０が飛び出るようになる。なお、図３では、シート部材１２に設けられたフラップ部３０を折線１７で若干折り曲げた状態を示している。
【００４３】
次に、収容体１０に収納物を収納する場合について説明する。まず厚み寸法がある収容物を収容する場合について説明する。図４は実施例に係る収容体の物品収容時の状態を示す図であり、（ａ）は平面図、（ｂ）は側面図、（ｃ）は正面図、図５は実施例に係る収容体の厚物収容時の状態を示す図４（ａ）中のＡ−Ａ線に相当する断面図、図６は収容体の一部切欠斜視図、図７乃至図１０は収容体の組み立て時におけるフラップ部の折り曲げ手順を示す斜視図、図１１は収容体の組み立て完了時の状態を示す斜視図である。
【００４４】
収容体１０では、厚みのある２つの収納物５１，５２あるいは１つの収納物５３を収納することができる。図４及び図５に示すように、２つの収納物５１，５２は、切込部２６，３６を挟んで収納することができ、収納物５３は切込部２６，３６を避けて収納することができる。
【００４５】
まず、図３に示すように、シート部材１１，１２の開口側を広げて開口１８を形成する。この状態で、収納物５１，５２，５３を緩衝材で包むかあるいはそのまま開口１８から収納する。次に、図７に示すようにこの開口１８に間隔保持片部２２，３２を折線２５，３５で折り曲げ、図８に示すように、間隔保持片部２２，３２を重ね合せる。次いで、図９に示すように、それぞれの切込部２６，３６どうしを引っ掛け、同時に、延設片部２３，３３を折線２４，３４から内側に折り曲げる。そして、図１０に示すように、延設片部２３，３３をシート部材１１，１２の内側に入れ込むようにし、且つ係合した切込部２６，３６の頂部に形成されている円孔部２７，３７を中心として図中矢印に示すように、間隔保持片部２２，３２を内側に回転させながら内部に送り込ませる。
【００４６】
すると、図１１に示すように、蓋片部２１，３１が開口１８を塞ぎ、収容体１０は収容体を格納した状態となる。この状態で、必要に応じて、蓋片部２１，３１をまたいで粘着テープ１９を貼付すれば、蓋片部２１，３１は固定された状態となる。
【００４７】
この状態において、収容体１０の内部において、図６に示すように、間隔保持片部２２，３２は、切込部２６，３６で交差して係合している。また、蓋片部２１，３１の折線１６，１７の長さｌは、シート部材１１，１２の幅寸法Ｌの１／２よりわずかに小さく形成しているから、折線２５，３５どうしは密着せず、組み立て時において、間隔保持片部２２，３２は折線２５，３５においてわずかに離間した状態となり、延設片部２３，３３はＸ状に交差して係合する。このため、係合した間隔保持片部２２，３２がシート部材１１，１２の間で安定した状態で配置される。
【００４８】
そして、間隔保持片部２２，３２の上辺２２ａ，３２ａ及び下辺２２ｂ，３２ｂがシート部材１１，１２の内面に近接して配置されため、間隔保持片部２２，３２が収容体１０の支柱の役割を果たし収容体１０の変形を防止する。
【００４９】
また、１０の組み立て状態において、延設片部２３，３３がシート部材１１，１２の内面に接触する。このため、開口１８の周縁部の隙間を内側から塞ぐ他、シート部材１１，１２に係る荷重を蓋片部２１，３１で支えることができるようになる。
【００５０】
よって、シート部材１１，１２の上面から力が加わっても、蓋片部２１，３１及び間隔保持片部２２，３２により収容体の形状を保持することができる。その後、必要に応じてフラップ部２０を粘着テープ等で固定する。
【００５１】
この状態で、収容体１０は、図４に示すように、シート部材１１、シート部材１２、及び蓋片部２１，３１で形成される面の３つの面で構成されるとともに内部に間隔保持片部２２，３２による形状保持機能を有する部材が配置された立体構造物となり、この立体構造物は圧縮、捩れなど対して剛性を有するものとなり、内部に収容した収納物５１，５２，５３を確実に保護することができる。
【００５２】
また、本例に係る収容体１０では蓋片部２１，３１、間隔保持片部２２，３２、延設片部３３は、フラップ部２０，３０に一体として、コンパクトに形成されているため、簡易な構成でありながら剛性の高い収容体を形成できる。
【００５３】
また、この収容体１０は一方に向いて開口１８側から接続部１３方向に向け薄肉に形成されるから、収容体１０を重ねて配置するとき、開口１８側と接続部１３側とを重ねて配置することにより、収納効率を良好なものとすることができる。さらに、この収容体１０では、バーコードや識別名を表示したラベル等を貼付するに必要な平面部をシート部材１１、シート部材１２の他蓋片部２１，３１にも確保することができる。このときラベル等を蓋片部２１，３１からシート部材１２にかけて貼付することにより、上述した固定用の粘着テープ１９と兼用することができる。
【００５４】
次に、収容体１０に厚みのない例えば取扱説明書やＣＤ等の薄物を収納する場合について説明する。図１２は収容体に薄物を収容した場合を示す平面図である。この場合には、全体を封筒状として使用することができる。このときには、図１２に示すように、蓋片部２１，３１、及び延設片部２３，３３を一体として、シート部材１１，１２を挟むようにそれぞれ異なる方向に向けて折り畳むようにする。このようにすることにより、シート部材１１とシート部材１２との間に形成される開口１８を確実に塞ぐことができる。このとき、間隔保持片部２２，３２は、蓋片部２１，３１の内側に折り畳むようにすれば間隔保持片部２２，３２を蓋片部２１，３１の裏側に格納することができる。
【００５５】
このとき、延設片部２３，３３は、蓋片部２１，３１の輪郭内に配置できる形状としているので、間隔保持片部２２，３２が蓋片部２１，３１の外側にはみ出ることがない。また、蓋片部２１，３１から間隔保持片部２２，３２を切り取って使用することができ、蓋片部２１，３１と、間隔保持片部２２，３２との間の折線２５，３５の位置に予めミシン目のような切り離し補助加工を施しておけば、間隔保持片部２２，３２をハサミ、ナイフなどの器具を使用することなく簡単に蓋片部２１，３１から切り離すことができる、
【００５６】
また、本発明では、収容体１０には、収容体１０の取扱説明を表示することができる。図１３は取扱説明を表示した収容体を示す斜視図、図１４は収容体に表示される取扱説明の一例を示す図である。
【００５７】
この例では、収容体１０のシート部材１２表面には、収容体１０の組立手順図４０が記載されている他、フラップ部２０，３０の蓋片部２１，３１、間隔保持片部２２，３２、延設片部２３，３３には、記号（この例は、記号「ａ」〜「ｇ」、なお「ｇ」は、図には現れていない）。この例では組立手順図４０は、図１４に示すように、４つのステップ（１〜４）にわたって記号を参照しつつ収容体１０に厚みがある収容物を収容する場合について図解がされている。
【００５８】
従って、このように、シート部材に組立手順図を記載した収容体１０にあっては、作業者は、組立手順図４０を参照しつつ容易に収容体１０を組み立てることができる。
【００５９】
なお、上記各実施例において、シート部材は紙製のコートボールとして説明したが、紙製の段ボール、樹脂製のシートや合成樹脂製の段ボール等を使用することができる。この場合は、収容体を耐久性に優れたものとすることができ繰り返し使用することができる。
【００６０】
なお、上記実施例では形成体として、２枚のシート部材の接続部と、開放辺部である上辺とを直交するように形成したが、２枚のシート部材の接続部を、開放辺部と対向するように形成することができる。
【００６１】
また、上記実施例では、収容体の一方に開放辺部を形成しフラップ部を形成したが、収容体の対向する２辺を開放辺部として、２個所に開口を形成し、それぞれの開口にフラップ部を形成するようにしてもよい。
【図面の簡単な説明】
【００６２】
【図１】実施例に係る収容体の展開図である。
【図２】実施例に係る収容体の平面図である。
【図３】実施例に係る収容体の斜視図である。
【図４】実施例に係る収容体の物品収容時の状態を示す図であり、（ａ）は平面図、（ｂ）は側面図、（ｃ）は正面図である。
【図５】実施例に係る収容体の厚物収容時の状態を示す図４（ａ）中のＡ−Ａ線に相当する断面図である。
【図６】実施例に係る収容体のラップ部の折り曲げ状態を示す一部を切欠いて示した斜視図である。
【図７】実施例に係る収容体の組み立て時におけるフラップ部の折り曲げ手順を示す斜視図である。
【図８】実施例に係る収容体の組み立て時におけるフラップ部の折り曲げ手順を示す斜視図である。
【図９】実施例に係る収容体の組み立て時におけるフラップ部の折り曲げ手順を示す斜視図である。
【図１０】実施例に係る収容体の組み立て時におけるフラップ部の折り曲げ手順を示す斜視図である。
【図１１】実施例に係る収容体の組み立て完了時の状態を示す斜視図である。
【図１２】実施例に係る収容体に薄物を収容した場合を示す平面図である。
【図１３】取扱説明を表示した収容体を示す斜視図である。
【図１４】収容体に表示される取扱説明の一例を示す図である。
【符号の説明】
【００６３】
１０  収容体
１１，１２  シート部材
１１ａ，１２ａ  上辺
１３  接続部
１４，１５  糊代
１６，１７  折線
１８  開口
１９  粘着テープ
２０，３０  フラップ部
２１，３１  蓋片部
２２，３２  間隔保持片部
２２ａ，３２ａ  上辺
２２ｂ，３２ｂ  下辺
２３，３３  延設片部
２３ａ，３３ａ  上辺
２３ｂ，３３ｂ  側辺
２４，３４  折線
２５，３５  折線
２６，３６  切込部
２７，３７  円孔部
４０  組立手順図
５１，５２  収納物
５１，５２，５３  収納物
５１  収納物
５３  収納物
６０  形成体
【図１】
2008094418.tif 000003
【図２】
2008094418.tif 000004
【図３】
2008094418.tif 000005
【図４】
2008094418.tif 000006
【図５】
2008094418.tif 000007
【図６】
2008094418.tif 000008
【図７】
2008094418.tif 000009
【図８】
2008094418.tif 000010
【図９】
2008094418.tif 000011
【図１０】
2008094418.tif 000012
【図１１】
2008094418.tif 000013
【図１２】
2008094418.tif 000014
【図１３】
2008094418.tif 000015
【図１４】
2008094418.tif 000016
【手続補正書】
【提出日】平成19年12月13日(2007.12.13)
【手続補正１】
【補正対象書類名】特許請求の範囲
【補正対象項目名】請求項１１
【補正方法】変更
【補正の内容】
【請求項１１】
２枚の略方形のシート部材を重ね合せ、重ね合せされる４つの辺部のうち少なくとも１辺から被梱包物を挿入可能な開口部と、開口部を封止するフラップ部が形成される収容体において、
前記フラップ部は、折り曲げられることにより前記開放辺部を拡開することで形成される開口を塞ぐ蓋片部と、前記開放辺部を拡開することで形成される収容体の形状を保持する延設片部とを備えることを特徴とする収容体。
【手続補正２】
【補正対象書類名】明細書
【補正対象項目名】００２３
【補正方法】変更
【補正の内容】
【００２３】
請求項１１の発明は、２枚の略方形のシート部材を重ね合せ、重ね合せされる４つの辺部のうち少なくとも１辺から被梱包物を挿入可能な開口部と、開口部を封止するフラップ部が形成される収容体において、前記フラップ部は、折り曲げられることにより前記開放辺部を拡開することで形成される開口を塞ぐ蓋片部と、前記開放辺部を拡開することで形成される収容体の形状を保持する延設片部とを備えることを特徴とする収容体である。